(57)【要約】【課題】紙書籍を読むときに利用するしおりと、電子書籍を読むときに利用する電子書籍端末のしおり機能を連動させることができるシステムを提供する。【解決手段】  従来、紙書籍４を読むときにユーザが利用するしおりは紙製のものを利用していたが、本実施形態の電子しおりシステム１では、電子書籍５を読むときに利用する電子書籍端末３と連動させることができるように、紙書籍４を読むときにユーザが利用するしおりを電子機器である電子しおり２とし、読書を再開するときのページ番号を電子しおり２と電子書籍端末３間でやり取りできるようにしている。【選択図】図１
2013168082.tif 000002
【特許請求の範囲】
【請求項１】
紙書籍を読むときに利用する電子しおりと、電子書籍を読むときに利用する電子書籍端末とから少なくとも構成されるシステムであって、
前記電子しおりは、ページ番号を表示する表示手段と、前記電子書籍端末と無線通信する第１の無線通信手段と、紙書籍に印刷されているページ番号を光学的に読み取り認識するページ番号認識手段と、ページ番号を認識する操作がなされると、前記ページ番号認識手段を作動させ、前記ページ番号認識手段が取得したページ番号を保存すると共に前記表示手段に該ページ番号を表示する処理を行い、ページ番号を前記電子書籍端末から受信する操作がなされると、前記第１の無線通信手段によりページ番号の送信要求を発信し、前記電子書籍端末から受信したページ番号を保存すると共に前記表示手段に該ページ番号を表示する処理を行い、前記第１の無線通信手段が前記電子書籍端末からページ番号の送信要求を受信すると、保存しているページ番号を前記電子書籍端末へ送信する処理を行うページ番号管理手段を備え、
前記電子書籍端末は、前記電子しおりと無線通信する第２の無線通信手段と、電子書籍を再生する再生手段と、少なくとも電子書籍の再生を終了する際、前記再生手段が再生している電子書籍のページ番号を該電子書籍に付与して保存する処理を行い、ページ番号を前記電子しおりから受信する操作が行われると、前記第２の無線通信手段によりページ番号の送信要求を無線で発信し、前記再生手段が再生している電子書籍のページを、前記電子しおりから受信したページ番号に対応するページに更新する処理を行い、前記第２の無線通信手段が前記電子しおりからページ番号の送信要求を受信すると、閲覧日が最も新しい電子書籍に付加されているページ番号、又は、ユーザが選択した電子書籍に付加されているページ番号を電子しおりへ送信する処理を行うしおり管理手段を備え、
ていることを特徴とする電子しおりシステム。
【請求項２】
ページ番号を表示する表示手段と、電子書籍を再生する電子書籍端末と無線通信する第１の無線通信手段と、紙書籍に印刷されているページ番号を光学的に読み取り認識するページ番号認識手段と、ページ番号を認識する操作がなされると、前記ページ番号認識手段を作動させ、前記ページ番号認識手段が取得したページ番号を保存すると共に前記表示手段に該ページ番号を表示する処理を行い、ページ番号を前記電子書籍端末から受信する操作がなされると、前記第１の無線通信手段によりページ番号の送信要求を発信し、前記電子書籍端末から受信したページ番号を保存すると共に前記表示手段に該ページ番号を表示する処理を行い、前記第１の無線通信手段が前記電子書籍端末からページ番号の送信要求を受信すると、保存しているページ番号を前記電子書籍端末へ送信する処理を行うページ番号管理手段を備えていることを特徴とする電子しおり。
【請求項３】
読書を再開するページ番号を管理している電子しおりと無線通信する第２の無線通信手段と、電子書籍を再生する再生手段と、少なくとも電子書籍の再生を終了する際、前記再生手段が再生している電子書籍のページ番号を該電子書籍に付与して保存する処理を行い、ページ番号を前記電子しおりから受信する操作が行われると、前記第２の無線通信手段によりページ番号の送信要求を無線で発信し、前記再生手段が再生している電子書籍のページを、前記電子しおりから受信したページ番号に対応するページに更新する処理を行い、前記第２の無線通信手段が前記電子しおりからページ番号の送信要求を受信すると、閲覧日が最も新しい電子書籍に付加されているページ番号、又は、ユーザが選択した電子書籍に付加されているページ番号を電子しおりへ送信する処理を行うしおり管理手段を備えていることを特徴とする電子書籍端末。
【発明の詳細な説明】
【技術分野】
【０００１】
本発明は、紙媒体の書籍である紙書籍を読むときに利用するしおりと、デジタル媒体の書籍である電子書籍を読むときに利用する電子書籍端末のしおり機能を連動させるための発明である。
【背景技術】
【０００２】
コンピュータ技術の発達により、文字等をデータ化した書籍である電子書籍が普及しているが、電子書籍には挿絵がないこともあるため、同一の書籍であっても、文字等を紙に印刷した書籍である紙書籍と電子書籍を個別に消費者が購入するケースがある。
【０００３】
愛読書ならば、紙書籍と電子書籍を個別に購入しても消費者は損をした気にならないかもしれないが、一般的には、紙書籍と電子書籍を個別に購入すると消費者は損をした気になるため、特許文献１では、紙書籍を購入すれば、電子書籍の閲覧権も入手できるシステムが開示されている。
【０００４】
特許文献１で開示されている発明を利用することで、消費者は、紙書籍と電子書籍を同時に購入できるが、同一の書籍であっても、消費者は、紙書籍と電子書籍の２つを利用して読書することになるため、紙書籍を読むときに利用する紙媒体のしおり（栞）と、電子書籍を読むときに利用する電子書籍端末のしおり機能を連動させることが必要になる。
【先行技術文献】
【特許文献】
【０００５】
【特許文献１】特開２００３−６７３７８号公報
【発明の概要】
【発明が解決しようとする課題】
【０００６】
そこで、本発明は、紙書籍を読むときに利用するしおりと、電子書籍を読むときに利用する電子書籍端末のしおり機能を連動させることができるシステム、及び、該システムで必要となる電子しおり及び電子書籍端末を提供することを目的とする。
【課題を解決するための手段】
【０００７】
上述した課題を解決する第１の発明は、紙書籍を読むときに利用する電子しおりと、電子書籍を読むときに利用する電子書籍端末とから少なくとも構成される電子しおりシステムである。
【０００８】
第１の発明にかかる前記電子しおりは、ページ番号を表示する表示手段と、前記電子書籍端末と無線通信する第１の無線通信手段と、紙書籍において読書を再開するときのページ番号を取得する機能として、紙書籍に印刷されているページ番号を光学的に読み取り認識するページ番号認識手段を備える。
【０００９】
更に、第１の発明にかかる前記電子しおりは、読書を再開するページ番号を管理する機能として、ページ番号を認識する操作がなされると、前記ページ番号認識手段を作動させ、前記ページ番号認識手段が取得したページ番号を保存すると共に前記表示手段に該ページ番号を表示する処理を行い、ページ番号を前記電子書籍端末から受信する操作がなされると、前記第１の無線通信手段によりページ番号の送信要求を発信し、前記電子書籍端末から受信したページ番号を保存すると共に前記表示手段に該ページ番号を表示する処理を行い、前記第１の無線通信手段が前記電子書籍端末からページ番号の送信要求を受信すると、保存しているページ番号を前記電子書籍端末へ送信する処理を行うページ番号管理手段を備えている。
【００１０】
また、第１の発明にかかる前記電子書籍端末は、前記電子しおりと無線通信する第２の無線通信手段と、電子書籍を再生する再生手段に加え、読書を再開するページ番号を管理する機能として、少なくとも電子書籍の再生を終了する際、前記再生手段が再生している電子書籍のページ番号を該電子書籍に付与して保存する処理を行い、ページ番号を前記電子しおりから受信する操作が行われると、前記第２の無線通信手段によりページ番号の送信要求を無線で発信し、前記再生手段が再生している電子書籍のページを、前記電子しおりから受信したページ番号に対応するページに更新する処理を行い、前記第２の無線通信手段が前記電子しおりからページ番号の送信要求を受信すると、閲覧日が最も新しい電子書籍に付加されているページ番号、又は、ユーザが選択した電子書籍に付加されているページ番号を電子しおりへ送信する処理を行うしおり管理手段を備えている。
【００１１】
なお、第２の発明は、第１の発明に記載した電子しおりシステムを構成する電子しおりで、第３の発明は、第１の発明に記載した電子しおりシステムを構成する電子書籍端末である。
【発明の効果】
【００１２】
本発明によれば、紙書籍を読むときにユーザが利用するしおりを電子機器である電子しおりとすることで、紙書籍を読むときに利用するしおりと、電子書籍を読むときに利用する電子書籍端末のしおり機能を連動させることができるようになる。
【図面の簡単な説明】
【００１３】
【図１】本実施形態の電子しおりシステムの構成を説明する図。
【図２】電子しおりを説明する図。
【図３】電子書籍端末を説明する図。
【図４】紙書籍にて読書を中断し、電子書籍にて読書を再開するときの動作を説明する図。
【図５】電子書籍にて読書を中断し、紙書籍にて読書を再開するときの動作を説明する図。
【発明を実施するための形態】
【００１４】
ここから、本発明の好適な実施形態について、図面を参照しながら詳細に説明する。なお、これから説明する実施形態は本発明の一実施形態にしか過ぎず、本発明は、これから説明する実施形態に限定されることなく、種々の変形や変更が可能である。
【００１５】
図１は、本実施形態の電子しおりシステム１の構成を説明する図である。図１で図示した電子しおりシステム１は、紙媒体の書籍である紙書籍４を読む際にユーザが利用する電子しおり２と、デジタル媒体の書籍である電子書籍５を読む際にユーザが利用する電子書籍端末３とから構成される。
【００１６】
従来、紙書籍４を読むときにユーザが利用するしおり（栞）は紙製のものを利用していたが、本実施形態の電子しおりシステム１では、電子書籍端末３が有するしおり機能と連動させることができるように、紙書籍４を読むときにユーザが利用するしおりを電子機器である電子しおり２とし、読書を再開するときのページ番号を電子しおり２と電子書籍端末３間でやり取りできるようにしている。
【００１７】
図２は、電子しおり２を説明する図である。図２に図示したように、電子しおり２は、読書を再開するページ番号を表示するための表示手段２３と、電子書籍端末３と無線通信するための無線通信手段２１と、紙書籍４に印刷されているページ番号を認識するページ番号認識手段２２と、ページ番号を管理するページ番号管理手段２０を備えた電子デバイスで、本実施形態では、操作ボタンとして、ページ番号を認識する操作を行うときにユーザが押すページ番号認識ボタン２４と、電子書籍端末３からページ番号を受信するときにユーザが押す受信ボタン２５を備えている。
【００１８】
電子しおり２の表示手段２３は、液晶ディスプレイや有機ＥＬディスプレイ（EL: Organic Electro-Luminescence）などのディスプレイにより実現される手段である。また、電子しおり２の表示手段２３として用いるディスプレイは、電源が切られても表示内容が消えることのない電子ペーパを利用するとなお良い。
【００１９】
また、電子しおり２のページ番号認識手段２２は、デジタルカメラやスキャナのように光学系と画像処理回路が組み合わされた回路で実現される手段で、本実施形態では、光学レンズの視野に含まれる文字の画像を光学的に読み取り、読み取った画像に含まれる文字を文字コードに変換する機能を有している。
【００２０】
本実施形態では、電子しおり２の無線通信手段２１及びページ番号管理手段２０を実現するために、電子しおり２には、ルネサス社製ＮＦＣマイコン（NFC: Near Field Communication）のように、ＮＦＣコントローラとセキュアマイコンが１チップ化されたＮＦＣモジュール２ａが実装されている。ＮＦＣモジュール２ａのＮＦＣコントローラ及びＲＦインターフェース回路が電子しおり２の無線通信手段２１に対応し、ＮＦＣモジュール２ａのセキュアマイコンが電子しおり２のページ番号管理手段２０に対応する。
【００２１】
なお、ＮＦＣには複数のモードが定義されているが、電子しおり２の無線通信手段２１のデフォルトモードはＮＦＣのカードエミュレーションモードで、電子しおり２のページ番号管理手段２０から指示を受けると、電子しおり２の無線通信手段２１は、ＮＦＣのリーダライタモードで作動する。
【００２２】
電子しおり２のＮＦＣモジュールには電子しおり２を制御するコンピュータプログラムが実装され、電子しおり２のページ番号管理手段２０は、電子書籍端末３と連動する機能として、ページ番号認識ボタン２４が押されると、ページ番号認識手段２２を作動させてページ番号を取得して保存・表示する処理を行う。また、電子しおり２のページ番号管理手段２０は、受信ボタン２５が押されると、無線通信手段２１をリーダライタモードで動作させてページ番号の送信要求を発信し、電子書籍端末３から受信したページ番号を保存・表示する処理を行う。更に、電子しおり２のページ番号管理手段２０は、電子書籍端末３からページ番号の送信要求を受信すると、電子しおり２の保存しているページ番号を電子書籍端末３へ送信する処理を行う。
【００２３】
図３は、電子書籍端末３を説明する図である。電子書籍端末３は、タッチパネルを有するタブレット型のコンピュータなどを利用して実現される装置で、デジタル媒体である電子書籍５を再生する再生手段３１と、電子しおり２と無線通信するための無線通信手段３２と、読書を再開するページ番号を管理するしおり管理手段３０を備える。
【００２４】
図１に図示したように、本実施形態の電子書籍端末３には、電子書籍端末３の無線通信手段３２として機能するＮＦＣモジュール３ａが実装されている。電子しおり２と同様に、電子書籍端末３の無線通信手段３２のデフォルトモードはＮＦＣのカードエミュレーションモードで、電子書籍端末３のしおり管理手段３０から指示を受けると、電子書籍端末３の無線通信手段３２はＮＦＣのリーダライタモードで作動する。なお、電子しおり２とは異なり、電子書籍端末３のＮＦＣモジュール３ａは、単独で動作せず、電子書籍端末３のしおり管理手段３０の指示に従い動作する。
【００２５】
電子書籍端末３の再生手段３１は、電子書籍端末３を動作させるコンピュータプログラムを利用して実現される手段で、前回再生した電子書籍５又はユーザが選択した電子書籍５を液晶ディスプレイや有機ＥＬなどのディスプレイに表示し、ユーザの操作に従い、ディスプレイに表示する電子書籍のページを変更する手段である。
【００２６】
電子書籍端末３のしおり管理手段３０は、読書を再開するページ番号を管理する手段で、電子書籍５にかかるしおり機能の一つとして、少なくとも電子書籍５の再生を終了する際、電子書籍端末３の再生手段３１が再生している電子書籍５のページ番号を該電子書籍５に付与して保存し、電子書籍５を再生する際、再生する電子書籍５に付与されているページ番号から再開する動作を行う。
【００２７】
また、電子書籍端末３のしおり管理手段３０は、電子しおり２と連動する機能として、しおり機能のメニューなどを利用して、ページ番号を電子しおり２から受信する操作が行われると、無線通信手段３２をリーダライタモードで動作させてページ番号の送信要求を無線で発信し、電子書籍端末３の再生手段３１が再生している電子書籍５のページを、電子しおり２から受信したページ番号に対応するページに更新する処理を行う。
【００２８】
更に、電子書籍端末３のしおり管理手段３０は、電子しおり２からページ番号の送信要求を受信すると、無線通信手段３２をカードエミュレーションモードで動作させて、閲覧日が最も新しい電子書籍５に付加されているページ番号、又は、ユーザが選択した電子書籍５に付加されているページ番号を電子しおり２へ送信する処理を行う。
【００２９】
ここから、電子しおりシステム１の動作について説明する。図４は、紙書籍４にて読書を中断し、電子書籍５にて読書を再開するときの動作を説明する図で、図５は、電子書籍５にて読書を中断し、紙書籍４にて読書を再開するときの動作を説明する図である。
【００３０】
まず、図４を参照しながら、紙書籍４にて読書を中断し、電子書籍５にて読書を再開するときの動作について説明する。
【００３１】
紙書籍４を読むことを中断する際、ユーザが、ページ番号認識手段２２の光学系の視野を、読書を再開するページに印刷されているページ番号に合わせてから、電子しおり２のページ番号認識ボタン２４を押し、ページ番号認識ボタン２４が押されると、電子しおり２のページ番号管理手段２０はページ番号認識手段２２を作動させ、電子しおり２のページ番号認識手段２２は、光学レンズの視野内の画像を光学的に読み取り、該画像に含まれる文字を文字コードに変換する（Ｓ１）。
【００３２】
電子しおり２のページ番号認識手段２２が文字コードを変換すると、電子しおり２のページ番号管理手段２０は、ページ番号認識手段２２が変換した文字コードをページ番号として取得してメモリに記憶した後、該ページ番号を表示手段２３に表示させる（Ｓ２）。
【００３３】
電子書籍５にて読書を再開する際、ユーザが読書を再開する電子書籍５を選択すると、電子書籍端末３の再生手段３１は、ユーザ選択した電子書籍５をディスプレイに再生させる（Ｓ３）。なお、電子書籍端末３のしおり管理手段３０は、電子書籍５を再生させるときのページ番号を、再生する電子書籍５に付加されているページ番号とする。
【００３４】
電子書籍５を電子書籍端末３上で再生させた状態で、ページ番号を電子しおり２から読み取る操作がなされると、電子書籍端末３のしおり管理手段３０は、電子書籍端末３の無線通信手段３２のモードをリーダライタモードに変更した後、ページ番号の送信要求を無線で発信する（Ｓ４）。
【００３５】
カードエミュレーションモードで作動している電子しおり２の無線通信手段２１がページ番号の送信要求を受信すると、電子しおり２のしおり管理手段３０は、電子しおり２に記憶しているページ番号を、ページ番号の送信要求の送信元（ここでは、電子書籍端末３）へ送信する（Ｓ５）。
【００３６】
電子書籍端末３の無線通信手段３２が、電子しおり２が送信したページ番号を受信すると、電子書籍端末３のしおり管理手段３０は、電子書籍端末３の再生手段３１が再生している電子書籍５のページを、電子しおり２が送信したページ番号に該当するページになるように更新して（Ｓ６）、この手順を終了する。
【００３７】
次に、図５を参照しながら、電子書籍５にて読書を中断し、紙書籍４にて読書を再開するときの動作について説明する。
【００３８】
ユーザが読書を終了する操作を電子書籍端末３上で行うと、上述しているように、電子書籍端末３のしおり管理手段３０は、再生手段３１が再生している電子書籍５のページ番号を該電子書籍５に付与して保存する（Ｓ１０）。
【００３９】
紙書籍４にて読書を再開する際、ユーザが電子しおり２の受信ボタンを押すと、電子しおり２のページ番号管理手段２０は、電子しおり２の無線通信手段２１をリーダライタモードで作動させ、ページ番号の送信要求を発信する（Ｓ１１）。
【００４０】
カードエミュレーションモードで作動している電子書籍端末３の無線通信手段３２がページ番号の送信要求を受信すると、電子書籍端末３のしおり管理手段３０は、所定の電子書籍５に付加されているページ番号を、ページ番号の送信要求の送信元（ここでは、電子しおり２）へ送信する（Ｓ１２）。
【００４１】
なお、所定の書籍を閲覧日が最も新しい電子書籍５にするとき、電子書籍端末３のしおり管理手段３０は、閲覧日が最も新しい電子書籍５に付加されているページ番号を、ページ番号の送信要求の送信元（ここでは、電子しおり２）へ送信する。
【００４２】
また、所定の電子書籍５をユーザが選択した電子書籍５にするとき、電子書籍端末３のしおり管理手段３０は、ページ番号の送信要求を受信すると、電子書籍端末３に記憶されている電子書籍５の一覧を表示し、ユーザが選択した電子書籍５に付加されているページ番号を、ページ番号の送信要求の送信元（ここでは、電子しおり２）へ送信する。
【００４３】
リーダライタモードで作動している電子しおり２の無線通信手段２１がページ番号を受信すると、電子しおり２のページ番号管理手段２０は、受信したページ番号をメモリに記憶した後、該ページ番号を表示手段２３に表示させて（Ｓ１３）、この手順を終了する。
【００４４】
このように、本実施形態における電子しおりシステム１によれば、ページ番号認識手段２２が取得したページ番号を電子しおり２に保存することで、読書を再開するページ番号が電子しおり２に保存されることになる。また、電子書籍端末３が再生している電子書籍５のページ番号を該電子書籍５に付与して保存することで、読書を再開するページ番号は電子書籍５に保存されることになる。
【００４５】
電子しおり２と電子書籍端末３を無線通信可能としておき、紙書籍４にて読書を再開するときに、電子書籍端末３から電子しおり２へページ番号を送信し、電子しおり２に保存されているページ番号を、電子書籍端末３から受信したページ番号へ変更することで、紙書籍４であっても、電子書籍５の再開ページから読書を再開できるようになる。
【００４６】
同様に、電子書籍５にて読書を再開するときに、電子しおり２から電子書籍端末３へページ番号を送信し、電子書籍端末３に保存されているページ番号を、電子しおり２から受信したページ番号へ変更することで、電子書籍端末５であっても、紙書籍４の再開ページから読書を再開できるようになる。
【符号の説明】
【００４７】
１    電子しおりシステム
２    電子しおり
２０  ページ番号管理手段
２１  無線通信手段
２２  ページ番号認識手段
２３  表示手段
３    電子書籍端末
３０  しおり管理手段
３１  再生手段
３２  無線通信手段
４    紙書籍
５    電子書籍
【図１】
2013168082.tif 000003
【図２】
2013168082.tif 000004
【図３】
2013168082.tif 000005
【図４】
2013168082.tif 000006
【図５】
2013168082.tif 000007